(57)【要約】【課題】エネルギー効率の低下が抑制され、筒状支柱部から大光量照明光を照射可能な固体照明装置を提供する。【解決手段】固体照明装置は、複数の固体光源と；複数の光経路と；電源部と；複数の電気配線部と；ランプ部と；筒状支柱部と；を具備する。複数の固体光源は、紫外光〜青色光の波長を有するレーザー光を放出する。複数の電気配線部は、電源と複数の固体光源とをそれぞれ接続する。ランプ部は、ヒートシンクと波長変換層とを有する。波長変換層は、複数の固体光源からのレーザー光をそれぞれ吸収しレーザー光の波長よりも長い波長の波長変換光を放出するとともに、それぞれのレーザー光を散乱して散乱光として放出する。筒状支柱部には、電源部と、電気配線部と、複数の光経路と、ランプ部と、を収納する内部空間が設けられる。それぞれの光経路は、レーザー光の波長において、伝送損失が３０％以下となる長さである。【選択図】図１
2014207080.tif 000002
【特許請求の範囲】
【請求項１】
紫外〜青色光の波長を有するレーザー光を放出する複数の固体光源部と；
入射端に導入された前記レーザー光を伝搬し、出射端から放出する複数の光経路と；
電源部と；
前記電源部と前記複数の固体光源部とを接続する電気配線部と；
ヒートシンクと、前記ヒートシンク上に設けられた波長変換層と、を有するランプ部であって、前記波長変換層は、前記複数の固体光源からのレーザー光をそれぞれ吸収し前記レーザー光の波長よりも長い波長の波長変換光を放出するとともに、前記それぞれのレーザー光を散乱して散乱光として放出する、ランプ部と；
前記電源部と、前記電気配線部と、前記複数の光経路と、前記ランプ部と、を前記内部空間に収納する内部空間が設けられた筒状支柱部と；
を具備し、
前記複数の光経路は、前記レーザー光の前記波長において、伝送損失が３０％以下となる長さである固体照明装置。
【請求項２】
青紫色〜赤色光の波長を有するレーザー光を放出する複数の固体光源部と；
入射端に導入された前記レーザー光を伝搬し、出射端から放出する複数の光経路と；
電源部と；
前記電源部と前記複数の固体光源部とを接続する電気配線部と；
ヒートシンクと、前記ヒートシンク上に設けられ、前記複数の固体光源からのレーザー光を散乱して散乱光に転じる光散乱材が分散して配置された光散乱層と、を有するランプ部と；
前記電源部と、前記電気配線部と、前記複数の光経路と、前記ランプ部と、を前記内部空間に収納する内部空間が設けられた筒状支柱部と；
を具備し、
前記複数の光経路は、前記レーザー光の前記波長において、伝送損失が３０％以下となる長さである固体照明装置。
【請求項３】
前記筒状支柱部は金属を含み、
前記内部空間に面した前記筒状支柱部の内壁は、平坦部を含み、
前記複数の固体光源部は、前記内壁の前記平坦部に分散して配置された請求項１または２に記載の固体照明装置。
【請求項４】
前記複数の光経路は、石英光ファイバーである請求項１〜３のいずれか１つに記載の固体照明装置。
【請求項５】
前記平坦部とされた前記内壁とは反対の側となる前記筒状支柱部の外縁に放熱フィンが設けられた請求項１〜４のいずれか１つに記載の固体照明装置。
【発明の詳細な説明】
【技術分野】
【０００１】
後述する実施形態は、概ね、固体照明装置に関する。
【背景技術】
【０００２】
ＬＥＤ（Light  Emitting  Diode）、ＬＤ（Laser  Diode）、ＯＬＥＤ（Organic  Light  Emitting  Diode）などの固体発光素子を用いた固体照明（ＳＳＬ：Solid-State  Lighting）装置は、高効率・長寿命・点灯自動制御などが可能である。このため、様々な用途が広がっている。
【０００３】
ＬＥＤやＬＤからの青色光を蛍光体などの波長変換材料に照射すると、青色光の波長よりも長い波長の光を得ることができる。このため、混合光として、白色照明光を得ることができる。
【０００４】
しかし、ＬＥＤを用いる場合、チップの発熱やドループなどが問題となる。たとえば、ドループは電流密度が高くなると光出力が飽和または低下する現象であり、発熱の影響が少なくても生じる。
【０００５】
一方、ＬＤは、ドループが無い固体発光素子である。ＬＤを固体発光素子として用いると、光広がり角が狭いので、レーザー光を波長変換層へ効率よく入射させることができる。また、光経路として光ファイバーを用いると、狭い光広がり角を保ちつつ、ＬＤから離間した波長変換層を照射できので、ランプ部の温度を低減できる。しかしながら、光ファイバーは、青色光に対して伝送損失が大きいので、その長さには限界がある。    
【先行技術文献】
【特許文献】
【０００６】
【特許文献１】特開２００７−５２９５７号公報
【発明の概要】
【発明が解決しようとする課題】
【０００７】
本発明が解決しようとする課題は、エネルギー効率の低下が抑制され、筒状支柱部から大光量照明光を照射可能な固体照明装置を提供することである。  
【課題を解決するための手段】
【０００８】
実施形態にかかる固体照明装置は、複数の固体光源と；複数の光経路と；電源部と；複数の電気配線部と；ランプ部と；筒状支柱部と；を具備する。前記複数の固体光源は、紫外光〜青色光の波長を有するレーザー光を放出する。前記複数の光経路は、入射端に導入された前記レーザー光を伝搬し、出射端から放出する。前記複数の電気配線部は、前記電源と前記複数の固体光源とをそれぞれ接続する。前記ランプ部は、ヒートシンクと前記ヒートシンク上に設けられた波長変換層とを有する。前記波長変換層は、前記複数の固体光源からのレーザー光をそれぞれ吸収し前記レーザー光の波長よりも長い波長の波長変換光を放出するとともに、前記それぞれのレーザー光を散乱して散乱光として放出する。前記筒状支柱部には、前記電源部と、前記電気配線部と、前記複数の光経路と、前記ランプ部と、を収納する内部空間が設けられる。それぞれの光経路は、前記レーザー光の前記波長において、伝送損失が３０％以下となる長さである。  
【発明の効果】
【０００９】
本発明の実施形態によれば、エネルギー効率の低下が抑制され、筒状支柱部から大光量照明光を照射可能な固体照明装置を提供することができる。
【図面の簡単な説明】
【００１０】
【図１】図１（ａ）は第１の実施形態にかかる固体照明装置の内部の模式斜視図、図１（ｂ）はその模式斜視図、である。
【図２】比較例にかかる固体照明装置の模式斜視図である。
【図３】第２の実施形態にかかる固体照明装置の内部の模式斜視図である。
【図４】図４（ａ）は第２の実施形態にかかる固体照明装置の照射方向を水平とする構成、図４（ｂ）は照射方向を下方に向ける構成、の模式図である。
【発明を実施するための形態】
【００１１】
第１の発明は、複数の固体光源と；複数の光経路と；電源部と；複数の電気配線部と；ランプ部と；筒状支柱部と；を具備した固体照明装置である。前記複数の固体光源は、紫外光〜青色光の波長を有するレーザー光を放出する。前記複数の光経路は、入射端に導入された前記レーザー光を伝搬し、出射端から放出する。前記複数の電気配線部は、前記電源と前記複数の固体光源とをそれぞれ接続する。前記ランプ部は、ヒートシンクと前記ヒートシンク上に設けられた波長変換層とを有する。前記波長変換層は、前記複数の固体光源からのレーザー光をそれぞれ吸収し前記レーザー光の波長よりも長い波長の波長変換光を放出するとともに、前記それぞれのレーザー光を散乱して散乱光として放出する。前記筒状支柱部には、前記電源部と、前記電気配線部と、前記複数の光経路と、前記ランプ部と、を収納する内部空間が設けられる。それぞれの光経路は、前記レーザー光の前記波長において、伝送損失が３０％以下となる長さである。
この固体照明装置によれば、筒状支柱部の高所または離間した位置にランプ部を設けることができる。この結果、ランプ部が離間していても、エネルギー効率を高く保ち、白色光などの大光量照明が可能となる。また、固体照明装置を安定して立設でき、かつ内部に固体光源部を収納しその盗難や破壊を防ぐことができる。
【００１２】
第２の発明は、複数の固体光源と；複数の光経路と；電源部と；複数の電気配線部と；ランプ部と；筒状支柱部と；を具備した固体照明装置である。前記複数の固体光源は、青紫光〜赤色光の波長を有するレーザー光を放出する。前記複数の光経路は、入射端に導入された前記レーザー光を伝搬し、出射端から放出する。前記複数の電気配線部は、前記電源と前記複数の固体光源とをそれぞれ接続する。前記ランプ部は、ヒートシンクと、前記ヒートシンク上に設けられ、前記複数の固体光源からのレーザー光を散乱して散乱光に転じる光散乱材が分散して配置された光散乱層と、を有する。前記筒状支柱部には、前記電源部と、前記電気配線部と、前記複数の光経路と、前記ランプ部と、を収納する内部空間が設けられる。それぞれの光経路は、前記レーザー光の前記波長において、伝送損失が３０％以下となる長さである。
この固体照明装置によれば、筒状支柱部の高所または離間した位置にランプ部を設けることができる。この結果、ランプ部が離間していても、エネルギー効率を高く保ち、低コヒーレントな青紫光〜赤色光の大光量照明が可能となる。また、固体照明装置を安定して立設でき、内部に固体光源部を収納しその盗難や破壊を防ぐことができる。
【００１３】
第３の発明は、第１または第２の発明において、前記筒状支柱部は金属を含み、前記内部空間に面した前記筒状支柱部の内壁は平坦部を含み、前記複数の固体光源は前記内壁の前記平坦部に分散して配置された固体照明装置である。
この固体照明装置によれば、放熱性がさらに高められる。
【００１４】
第４の発明は、第１〜第３のいずれか１つの発明において、前記光経路は、石英光ファイバーである固体照明装置である。  
この固体照明装置によれば、レーザー光を効率よくランプ部に伝送できる。
【００１５】
第５の発明は、第１〜第４のいずれか１つの発明において、前記平坦部とされた前記内壁とは反対の側となる前記筒状支柱部の外縁に放熱フィンが設けられた固体照明装置である。  
この固体照明装置によれば、放熱性がさらに高められる。
【００１６】
以下、図面を参照しつつ、本発明の実施形態を説明する。なお、各図面中、同様の構成要素には同一の符号を付して詳細な説明は適宜省略する。    
図１（ａ）は第１の実施形態にかかる固体照明装置の内部の模式斜視図、図１（ｂ）はその模式斜視図、である。
固体照明装置は、複数の固体光源６０と、複数の光経路７０と、電源部２０と、複数の電気配線部８０と、ランプ部３８と、筒状支柱部５０と、を有する。
【００１７】
複数の固体光源６０は、レーザー光をそれぞれ放出する半導体レーザーモジュールや固体レーザーなどとする。図１（ａ）において、複数の固体光源６０は、窒化物系半導体レーザーを有し、紫外〜青色（３８０〜４９０ｎｍ）の光を放出する８つの半導体レーザーモジュール１、２、３、４、５、６、７、８とする。半導体レーザーを用いると、レーザー光の広がり角が４０度（θｖ：遠視野像の半値全角）×２５度（θｈ：遠視野像の半値全角）など鋭い指向性となる。このため、光ファイバーなどの光経路に効率よく入射し、離間したランプ部３８まで、レーザー光を伝搬できる。
【００１８】
半導体レーザーモジュール１〜８が内部にレンズなどをそれぞれを有すると、光ファイバーへの入射効率をさらに高めることが容易となる。また、半導体レーザーモジュール１〜８は、駆動回路をそれぞれ有していてもよい。
【００１９】
複数の光経路７０は、入射端に導入されたレーザー光を伝搬し、出射端から放出する。図１（ａ）において、複数の光経路７０は、光ファイバー１１〜１８とする。半導体レーザーモジュール１〜８からの青色などのレーザー光ＢＬは、筒状支柱部５０の内部空間５０ａに設けられた光ファイバー１１〜１８内をそれぞれ伝搬したのち、光学部品（コンバイナ）１０により結合される。光ファイバー１１〜１８は、石英などからなり、コア径が２００μｍなどとすることができる。
【００２０】
電源部２０は、筒状支柱部５０の底部に設けることができる。電気配線部８０は、電源部２０と、半導体レーザーモジュール１〜８と、をそれぞれ接続する。
【００２１】
ランプ部３８は、ヒートシンク４０と、波長変換層３０と、を少なくとも含む。ヒートシンク４０は、熱伝導率が高い銅などの金属が好ましい。光学部品（コンバイナ）１０から放出されたレーザー光ＢＬは、ヒートシンク４０の中央部の凸部の表面に設けられた波長変換層３０を照射する。なお、ヒートシンク４０と、波長変換層３０と、の間に反射層を設けると、光取り出し効率を高めることができる。
【００２２】
レーザー光ＢＬを吸収した波長変換層３０から放出された波長変換光ＹＬと、波長変換層３０により散乱された散乱光ＳＬと、は、混合され照明光ＧＴとして全周囲方向に放出される。波長変換層３０が黄色蛍光体を含むと、黄色光である波長変換光ＹＬと、青色光である散乱光ＳＬと、は、照明光ＧＴとして、白色光を放出する。
【００２３】
筒状支柱部５０には、内部空間５０ａが設けられ、電源部２０と、複数の電気配線部８０と、複数の光経路７０と、ランプ部３８と、を収納する。筒状支柱部５０は、金属などからなる。筒状支柱部５０の内壁５０ｂは、平坦部５０ｃを含む。
【００２４】
筒状支柱部５０の平坦部５０ｃには、半導体レーザーモジュール１〜８が分散して配置される。図１（ａ）では、１つの平坦部５０ｂに、２つの半導体レーザーモジュールが、熱干渉を無視できる距離（たとえば、上下に２０ｃｍ）だけ離間して設けられる。
【００２５】
この場合、たとえば、筒状支柱部５０に窓部を設け、窓部から２つの半導体レーザーモジュールが取り付けられた金属板を挿入し内部でＹＡＧ（Yttrium  Aluminum  Garnet)レーザー溶接などにより固定することができる。そのあと、金属板と筒状支柱部５０とを溶接すると、内部に固体光源部６０を収納し、盗難や破壊を防ぐことができる。
【００２６】
金属板が取り付けられた筒状支柱部５０の内壁５０ｂとは反対の側となる外縁には、放熱フィン５２を設けることができる。このようにすると、半導体レーザーモジュール１〜８で生じた熱を効率よく外部へ排出できる。４つの平坦部５０ｃを内壁５０ｂに分散して設けると、強制空冷無しでも半導体レーザーモジュール１〜８で生じた熱を四方に排出できる。
【００２７】
波長変換層３０は、散乱光を吸収し散乱光の波長よりも長い波長を含む発光スペクトルを有する波長変換光を放出する。波長変換層３０は、たとえば、（Ｃａ、Ｓｒ）２Ｓｉ５Ｎ８：Ｅｕ、（Ｃａ、Ｓｒ）ＡｌＳｉＮ３：Ｅｕなどの窒化物系蛍光体や、Ｃａｘ（Ｓｉ、Ａｌ）１２（Ｏ,Ｎ）１６：Ｅｕ、（Ｓｉ、Ａｌ）６（Ｏ、Ｎ）８：Ｅｕ、ＢａＳｉ２Ｏ２Ｎ２：Ｅｕ、ＢａＳｉ２Ｏ２Ｎ２：Ｅｕなどの酸窒化物系蛍光体や、Ｌｕ３Ａｌ５Ｏ１２：Ｃｅ、（Ｙ、Ｇｄ）３（Ａｌ、Ｇａ）５Ｏ１２：Ｃｅ、（Ｓｒ、Ｂａ）２ＳｉＯ４：Ｅｕ、Ｃａ３Ｓｃ２Ｓｉ３Ｏ１２：Ｃｅ、Ｓｒ４Ａｌ１４Ｏ２５：Ｅｕなどの酸化物系蛍光体や、（Ｃａ、Ｓｒ）Ｓ：Ｅｕ、ＣａＧａ２Ｓ４：Ｅｕ、ＺｎＳ：Ｃｕ、Ａｌ等の硫化物系蛍光体などの中から、単体または少なくとも１種類以上混合させた蛍光体を用いることができる。
【００２８】
もし、レーザー光ＢＬが青色光で、波長変換層３０が黄色蛍光体を含むとすると、照明光ＧＴとして、白色光を放出できる。また、レーザー光ＢＬの波長を、紫外〜青色光とし、波長変換層３０がＲ（赤）・Ｇ（緑）・Ｂ（青）蛍光体を含むとしても白色光を放出することができる。
【００２９】
石英光ファイバーの伝送損失は、プラスチック光ファイバーの伝送損失よりも低い。但し、青色光に対する伝送損失は略３０ｄＢ／ｋｍと大きくなる。すなわち、５０ｍ伝送すると、伝送損失は略３０％（略１．５５ｄＢに相当）となる。これは、波長が短いほど、Rayleigh散乱が増えるためである。照明光では、エネルギー効率を高く保つことが重要であるので、伝送損失は３０％以下とすることが好ましい。
【００３０】
第１の実施形態において、光経路７０を構成する光ファイバー１１〜１８は、レーザー光ＢＬの波長において、光ファイバー１１〜１８の出射端の光強度が入射端の光強度の７０％（伝送損失が略１．５５ｄＢに相当する）以上となる長さとする。この場合、図１（ａ）において、たとえば、光ファイバー１３の入射端１３ａは半導体レーザーモジュール３に接続され、出射端１３ｂは光学部品１０に接続される。
【００３１】
すなわち、青色光を伝送する光ファイバー１１〜１８の長さＬｆの上限は、５０ｍとなる。５０ｍ以上の長さの筒状支柱部５０の先端部にランプ部３８を設ける場合、半導体レーザーモジュール１〜８に接続される光ファイバー１１〜１８の入射端（例えば、１３ａ）までには、それぞれの長さがＬｅの電気配線部２１〜２８が設けられる。この結果、筒状支柱部５０の所望の長さ（５０ｍ以上の場合）に対して、長さがＬｆの光経路７０と長さがＬｅの電気配線部８０とを用いることにより、ランプ部３８を点灯することができる。この結果、光ファイバーにおける伝送損失が増大することなく、エネルギー効率を高く保つことができる。
【００３２】
第１の実施形態では、電源部２０や電気配線部２１〜２８を筒状支柱部５０底部に設け、ヒートシンク４０と、光ファイバー１１〜１８と、を筒状支柱部５０の上部に設ける。このため、固体照明装置を安定して立設することができる。
【００３３】
ランプ部３８で生じる熱は、主に波長変換層３０の変換ロスに相当する熱である。生じた熱はヒートシンク４０から外部に排出される。薄い蛍光体層などからなる波長変換層３０は、熱抵抗が小さいので、熱は効率よくヒートシンク４０まで到達し放熱性を高めることができる。このため、波長変換層４０の温度上昇は小さい。ヒートシンク４０に放熱フィンを設けると、さらに放熱性を高めることができる。
【００３４】
さらに、半導体レーザーモジュール１〜８は、ヒートシンク４０から離間しているので、ランプ部３８を小型軽量にすることができる。これに対して、青色ＬＥＤアレイを固体光源部とする照明装置では、ＬＥＤアレイと波長変換層とは近接しており、両方で熱を発生するので温度上昇分が大きくなる。
【００３５】
また、ランプ部３８は、ヒートシンク４０上に光散乱層を有することができる。固体光源部６０は、青紫色〜赤色の波長（４００〜７５０ｎｍ）のレーザー光ＢＬを放出する。レーザー光ＢＬは、光散乱層に分散して配置された光散乱材を照射し、散乱され、散乱光ＳＬとなる。このようにして、低コヒーレントで安全性が高められた照明光ＧＴを放出することができる。
【００３６】
光散乱層は、ガラス板、透明樹脂板、セラミック板などに、Ａｌ２Ｏ３、Ｃａ２Ｐ２Ｏ７、ＢａＳＯ４などの微粒子などからなる光散乱材を塗布し硬化したものなどとすることができる。  
【００３７】
図２は、比較例にかかる固体照明装置の模式斜視図である。
固体照明装置は、固体光源部１６０と、光ファイバー部１７０と、ランプ部１３８と、を有している。
【００３８】
固体光源部（ライトエンジン）１６０は、８つの半導体レーザー１０１〜１０８と、８つのレンズ１９１〜１９８と、駆動回路２００と、を有する。半導体レーザー１０１〜１０８は、レンズ１９１〜１９８を介して、光ファイバー部１７０を構成する光ファイバー１１１〜１１８にそれぞれ結合される。
【００３９】
ランプ部１３８は、ヒートシンク１４０と、ヒートシンク１４０の上に設けられた波長変換層１３０と、波長変換層１３０を覆うように設けられた方向変換光学部１１０と、を有する。方向変換光学部１１０は、導光体からなり、下面から導入されたレーザー光ＢＬを斜面で全反射して導光し、波長変換層１３０を照射する。波長変換層１３０は、レーザー光ＢＬを吸収し、レーザー光ＢＬの波長よりも長い波長の波長変換光ＹＬを上方へ放出する。また、方向変換光学部１１０の内部や波長変換層１３０で散乱により生じた散乱光ＳＬは、方向変換光学部１１０の上方に放出される。波長変換光ＹＬと、散乱光ＳＬと、は、混合され照明光ＧＴとなる。
【００４０】
もしも、数百の半導体レーザーを配列し、数万ルーメンを越える大光量ランプを構成すると、固体光源部１６０が大型化し、発熱量も増大する。
【００４１】
また、固体光源部１６０とランプ部１３８とが離間した固体照明装置では、固体光源部１６０が破壊されたり盗難されたりする可能性がある。
【００４２】
これに対して、第１の実施形態では、半導体レーザーモジュール１〜８が金属からなる筒状支柱部５０内に分散して取り付けられるので放熱性が改善される。また、半導体レーザーモジュール１〜８間の距離を適正に保つことにより、強制空冷などをすることなく放熱効果を高めることができる。
【００４３】
また、筒状支柱部５０の内部空間５０ａは、半導体レーザーモジュール１〜８の取り付け領域を広く有するので、固体光源部６０を設ける外部スペースは不要となる。さらに、筒状支柱部５０は、固体照明装置の主要部である固体光源部６０を内部に収納することにより、破壊、盗難などを未然に防ぐことができる。
【００４４】
図３は、第２の実施形態にかかる固体照明装置の内部の模式斜視図である。
固体照明装置は、複数の固体光源部６０と、複数の光経路７０と、電源部２０と、複数の電気配線部８０と、ランプ部３８と、筒状支柱部５０と、リフレクタ５４と、を有する。複数の固体光源部６０は、レーザー光ＢＬをそれぞれ放出する半導体レーザーモジュール１〜８などとする。複数の光経路７０は、光ファイバー１１〜１８などとする。
【００４５】
光学部品（コンバイナ）１０の一方の端面１０ａを斜め切断面とし、レーザー光ＢＬを全反射して方向変換する。このため、レーザー光ＢＬは、ヒートシンク４０上に設けられた波長変換層３０を照射する。波長変換光ＹＬと、波長変換層３０により散乱された散乱光ＳＬと、は、リフレクタ５４で集光されて照明光ＧＴとなりリフレクタ５４の軸方向を照射する。
【００４６】
図４（ａ）は第２の実施形態にかかる固体照明装置の照射方向を水平とする構成、図４（ｂ）は照射方向を下方に向ける構成、の模式図である。
図４（ａ）では、照明光ＧＴの光軸ＯＡが略水平となるように、斜め切断面の角度αと、波長変換層３０の傾斜と、リフレクタ５４の傾斜と、を決める。  
【００４７】
また、図４（ｂ）では、照明光ＧＴの光軸ＯＡが下方を向くように、斜め切断面の角α度と、波長変換層３０の傾斜と、リフレクタ５４の傾斜と、を決める。このようにすると、高い位置にあるランプ部３８から、下方を照射することができる。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１〜８  半導体レーザーモジュール（固体光源）、１０  光学部品（コンバイナ）、１１〜１８  光ファイバー（光経路）、２０  電源部、２１〜２８、８０  電気配線部、３０  波長変換層、３８  ランプ部、４０  ヒートシンク、５０  筒状支柱部、５０ａ  内部空間、５０ｂ  内壁、５０ｃ  平坦部、５２  放熱フィン、５４  リフレクタ、６０  固体光源部、７０  光経路、８０  電気配線部、ＢＬ  レーザー光、ＹＬ  波長変換光、ＳＬ  散乱光、Ｌｆ  光ファイバーの長さ、Ｌｅ  電気配線部の長さ、ＧＴ  照明光  
【図１】
2014207080.tif 000003
【図２】
2014207080.tif 000004
【図３】
2014207080.tif 000005
【図４】
2014207080.tif 000006